(57)【要約】【課題】  刃物等の兇器を持った賊を威嚇し、賊との距離を保って身を守ると共に、積極的に賊を制圧することができる防刃用構造物を提供する。【解決手段】 本考案の防刃用構造物は、シャフト１と、該シャフト１の端部近傍に固着された円環状のノッチ部３と、該ノッチ部３に放射状に懸架された複数本のリブ５と、前記シャフト１に褶動自在に取り付けられたランナー部７と、前記リブ５の途中に設けられたジョイント９を介して該リブ５を前記ランナー部７に揺動自在に支持するストレッチャー１０と、前記リブ５に取り付けられたしゃへい布１１を有し、前記ランナー部７を前記シャフト１に沿って上下に褶動させることにより、しゃへい布１１が、前記シャフト１のノッチ部３を支点として傘状に開閉するように構成される。【選択図】  図１
0003111297.tif 000002
【実用新案登録請求の範囲】
【請求項１】
シャフトと、該シャフトの端部近傍に固着された円環状のノッチ部と、該ノッチ部に放射状に懸架された複数本のリブと、前記シャフトに褶動自在に取り付けられたランナー部と、前記リブの途中に設けられたジョイントを介して該リブを前記ランナー部に揺動自在に支持するストレッチャーと、前記リブに取り付けられた防刃用のしゃへい布を有し、前記ランナー部を前記シャフトに沿って上下に褶動させることにより、前記しゃへい布が、前記シャフトのノッチ部を支点として傘状に開閉するように構成されていることを特徴とする防刃用構造物。
【請求項２】
前記しゃへい布が、アラミド繊維、パラアラミド繊維、スペクトラ繊維（スペクトラはハネウェル社の登録商標）、カーボン繊維、ガラス繊維、超高強力ポリエチレン繊維およびポリパラフェニレンベンゾビスオキサゾール繊維からなる群から選ばれた一種以上の繊維から構成された布帛であることを特徴とする請求項１記載の防刃用構造物。
【請求項３】
前記しゃへい布が、前記繊維とポリウレタン繊維との混合繊維からなることを特徴とする請求項２記載の防刃用構造物。
【考案の詳細な説明】
【技術分野】
【０００１】
本発明は防刃用構造物に関し、特に刃物を持った賊から自己の身体を防禦し、または賊を制圧するための防刃用構造物に関する。
【背景技術】
【０００２】
従来、刃物を持った賊や暴漢から身を守る手段としては、種々の盾や、防刃用ベスト等が知られているが、防刃とともに、瞬時に賊を積極的に制圧し、身体の離れたところで安全を確保し、かつ設置、携帯していても不自然でない、防刃用構造物は知られていなかった。
【考案の開示】
【考案が解決しようとする課題】
【０００３】
本考案の課題は、刃物等の兇器を持った賊を威嚇し、賊との距離を保って身を守ると共に、積極的に賊を制圧することができる防刃用構造物を提供することにある。
【課題を解決するための手段】
【０００４】
上記課題を解決するため、本考案者は、開閉式の傘の雨除け用布の代わりに、防刃用の布帛を張架することにより、上記課題が達成されることを見出し、本発明に到達した。すなわち、本考案は下記のとおりである。
（１）シャフトと、該シャフトの端部近傍に固着された円環状のノッチ部と、該ノッチ部に放射状に懸架された複数本のリブと、前記シャフトに褶動自在に取り付けられたランナー部と、前記リブの途中に設けられたジョイントを介して該リブを前記ランナー部に揺動自在に支持するストレッチャーと、前記リブに取り付けられた防刃用のしゃへい布を有し、前記ランナー部を前記シャフトに沿って上下に褶動させることにより、前記しゃへい布が、前記シャフトのノッチ部を支点として傘状に開閉するように構成されていることを特徴とする防刃用構造物。
【０００５】
（２）前記しゃへい布が、アラミド繊維、パラアラミド繊維、スペクトラ繊維（スペクトラはハネウェル社の登録商標）、カーボン繊維、ガラス繊維、ポリパラフェニレンベンゾビスオキサゾール繊維、および超高強力ポリエチレン繊維（例えばダイニーマ繊維、ダイニーマは東洋紡社の登録商標）からなる群から選ばれた一種以上の繊維から構成された布帛であることを特徴とする（１）記載の防刃用構造物。
（３）前記しゃへい布が、前記繊維とポリウレタン繊維との混合繊維からなることを特徴とする（２）記載の防刃用構造物。
【考案の効果】
【０００６】
本考案の防刃用構造物によれば、刃物等の兇器を持った賊を威嚇し、賊との距離を保って身を守ると共に、積極的に賊を制圧することができる。本考案の構造物は防護を主目的としており、攻撃の道具ではなく、従って賊との対話を続ける際にも、賊と身体との間に安全な空間を造りだし、平和的解決の促進にも役立つ。
【０００７】
本考案の構造物は、防刃用としての用途の他に、投石などのテロ、暴動などから自己および他人の身体をも守るのはもとより、地震などの際、上部からの落下物で頭部などを負傷する場合があるが、瞬時に開閉する機能を生かしてこれに対応すると共に、安全な場所まで避難することができる。
【考案を実施するための最良の形態】
【０００８】
以下、本考案を図面により説明する。
図１は、本考案の防刃用構造物の平面図、図２は、図１のII−II線に沿った矢視方向断面図である。この構造物は、シャフト１と、該シャフト１の端部近傍に固着された円環状のノッチ部３と、該ノッチ部３に放射状に懸架された複数本のリブ５と、前記シャフト１に褶動自在に取り付けられたランナー部７と、前記リブ５の途中に設けられたジョイント９を介して該リブ５を前記ランナー部７に揺動自在に支持するストレッチャー１０と、前記リブ５に取り付けられたしゃへい布１１を有し、前記ランナー部７を前記シャフト１に沿って上下に褶動させることにより、しゃへい布１１が、前記シャフト１のノッチ部３を支点として傘状に開閉するように構成されている。図中、１３はハンドル、１５はハンドルの柄、１７は下部ストッパ、１９は上部ストッパ、２１はストッパをそれぞれ示す。
【０００９】
本考案の構造物において、シャフト、リブ等の基本的構造部分は、通常の傘よりも高強度の材料および構造とすることが好ましいが、主に賊を威嚇し、賊との距離を保って時間をかせぐために用いる場合は、防刃用のしゃへい布以外は、通常の傘の構造物をそのまま利用することができる。また防刃用の他に投石や、落下物からの防護用を兼ねる場合は、しゃへい布の選択以外に、シャフト、ノッチ部、リブ、ランナー部、ジョイント、ストレッチャーの部分の強度を増すようにすることが好ましい。
【００１０】
本考案の防刃用構造物は、通常は普通の傘と同じように傘入れ等か、部屋の隅などに立て掛けておき、賊が侵入してきた時など、非常時に、ストッパ１７を押してランナー部７を上下にスライドさせてリブ５のしゃへい布１１を手動またはばね等の動力を利用してワンタッチで開閉し、賊を威嚇すると共に、賊との間に一定の距離をおくことができる。また賊が刃物で攻撃してきた場合でも、刃物が接触しないように一定の距離を保って対応し、時間をかせぐことができる。また必要に応じ、ランナー部７をストッパ１９まで押し上げ、しゃへい布１１を開の状態とし、賊に応戦することができる。また賊の刃物がしゃへい布に接触しても、しゃへい布が防刃用布帛で構成されているため、刃物をはね返すか、または切れにくく、また賊などが安易にしゃへい布に攻撃を仕掛けた場合、貫通した刃物が傘形状を破壊させることが困難な上、貫通した刃物に繊維が絡みつき、容易に刃物を抜くことが困難になり、その間に賊から刃物を奪い取ることができる。特に防刃用布帛が、防刃用繊維の他にポリウレタン繊維などの弾性繊維を含む場合は、たとえしゃへい布に刃先が進入しても、周囲の繊維が刃物により絡まり易くなるので、その間に防禦の体制を整え、相手を制圧することができる。防刃用繊維とポリウレタン繊維との混合繊維は、混紡、交織および交編のいずれかの方法で混合した繊維の布帛でもよい。また防刃用繊維は、防刃性能を有することが必須であるが、防弾性能を兼ね備えていてもよいことは勿論である。繊維を構成する糸の太さや、布帛の構成、厚さなどは、その用途に応じて適宜決めることができる。
【００１１】
本考案の防刃用構造物は、ランナー部７と柄１５の間に、ジャンプ傘のようにワンタッチでリブ５を開閉するばね機構をさらに設けることにより、より迅速に威嚇および防禦体制を整えることができる。またしゃへい布１１には、適当な位置に覗き窓を設けてもよい。
【００１２】
本考案の防刃用構造物は、折りたたみ式として携帯に容易な構造とすることができ、また小型化して警備員、学童等に携帯またはベルトに装着させたり、学校等の公共施設に常備したりして、非常時に賊から学童等を守ることができる。
【図面の簡単な説明】
【００１３】
【図１】本考案の防刃用構造物の平面図。
【図２】図１のII−II線に沿った矢視方向断面図。
【符号の説明】
【００１４】
１…シャフト、３…ノッチ部、５…リブ、７…ランナー部、９…ジョイント、１０…ストレッチャー、１１…しゃへい布、１３…ハンドル、１５…ハンドルの柄、１７…下部ストッパ、１９…上部ストッパ、２１…ストッパ
【図１】
0003111297.tif 000003
【図２】
0003111297.tif 000004